(57)【要約】【課題】  夜間の植物干渉の演出効果を高めるには、庭園灯などの外部からのライティングがあるが、照明器具の明かりは画一的で彩りに欠ける。クリスマスイルミネーションなどの電飾で照らす方法もあるが、植木や垣根などには良いものの、長いコードが邪魔で植木鉢に植えた植物の観賞用には適さない。しかも設備費用や電気代、電球交換などランニングコストが掛かるうえ、安全上の問題もある。それら問題を解消する太陽光発電も考案されているが、多くの発光体を長時間点灯させ、既存の植木鉢の花を光で彩るものは考案されていない。【解決手段】  多数のＬＥＤランプ９を長時間点灯させる容量をもつ、太陽発電パネル４と蓄電制御ボックス６を備え、植木鉢に簡単に取り付けられるよう、クリップ１２をそれらと一体化した。【選択図】図１
2008301796.tif 000002
【特許請求の範囲】
【請求項１】
太陽光発電により多くのＬＥＤランプを点灯させ、鉢植えの花を明かりで彩ることを特徴とする植木鉢用太陽光フラワーイルミネーション装置。
【請求項２】
方向と角度を自在に変えられる太陽電池パネルと、蓄電制御ボックスを一体型に構成し、クリップによって植木鉢への取り付け、取り外しを容易にしたことを特徴とする請求項１記載の植木鉢用太陽光フラワーイルミネーション装置。
【発明の詳細な説明】
【技術分野】
【０００１】  この発明は、植木鉢用太陽光フラワーイルミネーション装置に関する。
【背景技術】
【０００２】  従来のクリスマス時期のイルミネーション光装飾は、豆電球を使用していたために高額な電気代が掛かるうえ、電気事故の不安と短寿命の問題があった。【０００３】  それら問題を解決した、ＬＥＤランプを使用したイルミネーションライトが開発されたが、家庭用一般電源とトランスを利用しているために電気代の問題も電気事故の不安も残ったままである。【０００４】  また、これらイルミネーションライトは、電源コード配線が必要なため設置できる場所が制限されるうえ、直列に接続された多数のＬＥＤランプが付いたコードは、植木や垣根への取り付けには良くても、植木鉢単体の花を光彩飾するには適さない。【０００５】  そのため、太陽光発電による照明の付いた植木鉢と花器と鉢植物用照明器具が考案されているが、いずれもイルミネーションの光彩飾ではない。【０００６】  なお、関連技術に下記物件がある。
【特許文献１】特開平５−２８３７４７
【特許文献２】特開平１１−３１８２１８
【特許文献３】特開２００５−１０１０１３
【０００７】  特許文献１は、多数の発光ダイオードを簡単な電気回路で点灯させる手段を備えたが、商用電源利用であり太陽光発電の利用は開示していない。【０００８】  特許文献２は、植木鉢自体に太陽電池パネルと照明部を取り付け、夜間植木鉢の花を照らす手段を備えたが、既存の植木鉢に取り付けることはできず、発光体も一つでイルミネーションの光彩飾ではない。【０００９】  特許文献３は、発光体と電源を内蔵した透光性材質の筒を、植木鉢の土に埋め込み植物を照らす手段を備えたが、筒状の光る照明器具でイルミネーションの光彩飾ではなく、太陽光発電の形態も開示しているが、具体的な取り付け方法などは開示していない。
【発明の開示】
【発明が解決しようとする課題】
【００１０】  以上に述べた、植木鉢単体に植えた花をＬＥＤランプを使用したイルミネーションで光彩飾するには、太陽光発電を利用するのが安全且つ経済的で最適である。【００１１】  しかしながら特許文献２は、太陽光パネルを植木鉢側面と上部に取り付けているため、太陽光の照射角度が悪く、植物の成長や他の鉢の陰にもかかり充分な電力は発電できない。両方合わせても発電出力は微力であり、１個の発光体でも長時間点灯は見込めない。特許文献３では、太陽光パネルの設置位置と取り付け方法さえも開示されていない。【００１２】  また特許文献２でも特許文献３でも、蓄電制御装置の設置箇所や取付け方法も開示されていない。多くのＬＥＤランプを点灯させるだけの発電容量を持つ蓄電制御装置の取り付け方法は、太陽光パネルと合わせ、既存の植木鉢に設置するうえで大きな課題である。【００１３】  本発明では上記問題を解決するため、太陽光パネルを日陰にならないよう最も発電効率の良い角度に設定でき、多くのＬＥＤランプが長時間点灯し、植木鉢の花を光のイルミネーションで彩ることを目的とするものである。【００１４】  また、これら装置を既存の植木鉢に容易に取り付け、取り外しできるようにすることを目的とするものである。
【課題を解決するための手段】
【００１５】  以上の課題を解決するために請求項１によれば、消費電力の少ないＬＥＤランプを使用することにより、太陽光発電でも多数の発光体を長時間点灯させ、鉢植えの花を明かりで彩ることを特徴とする植木鉢用太陽光フラワーイルミネーション装置である。【００１６】  請求項２によれば、最高発電太陽光照射角３０度に太陽電池パネルを設定できるよう、角度と向きを自由に変えられる治具を付けたことにより、多くのＬＥＤランプを点灯させる発電容量を備えたことを特徴とする植木鉢用太陽光フラワーイルミネーション装置である。【００１７】  また、請求項２によれば、プレート上に太陽電池パネルを、下には蓄電制御装置を取り付け、先端には角度と向きを自由に変えられる治具付きクリップを付け一体化することにより、どのような形状の植木鉢の淵にも簡単に挟んで留められ、外すことも容易であることを特徴とする植木鉢用太陽光フラワーイルミネーション装置である。
【発明の効果】
【００１８】  本発明は、上記構成から成るので以下に示す効果が期待できる。【００１９】１  美しく咲いた植木鉢の花を、昼間だけでなく夜間も楽しむことができる。【００２０】２  庭園灯やガーデンライトのような照明とは違い、多くのＬＥＤの発光は、花や葉の間にダイヤを散りばめたようで、鉢植えの花をより一層美しく輝かせる。【００２１】３  太陽光発電エネルギーなので、安全で電気代も不要であり、頻繁な電池交換も必要としないし、ＬＥＤランプは玉切れの心配が無い。【００２２】４  光センサースイッチにより毎晩自動点灯させ、朝には自動消灯させるので、点け忘れや消し忘れの心配がなく、不在時の防犯にもなる。【００２３】５  どのような形状の植木鉢でもクリップなので挟んで取付けでき、取外して太陽の下で充電した後、屋内の鉢に取付け、光彩色を楽しむこともできる。
【発明を実施するための最良の形態】
【００２４】  以下、本発明の実施の形態を図面を参照して説明する。【００２５】  図１と図２に示すように、土台となるプレート１上の横回転軸２と、その上の縦回転軸３により、植木鉢の置場所に関わらず、太陽発電パネル４を南向きの太陽光照射角度３０度に設定できる。【００２６】  プレート１両横の取り外し可能な留め具５で、下方に蓄電制御ボックス６を取り付けることにより、太陽発電パネル４の高さと蓄電制御ボックス６の重さで荷重が片側にかかっても、植木鉢の土の重さでバランスを取り植木鉢の転等を防ぎ、蓄電池７の交換も容易となる。【００２７】  蓄電制御ボックス６には光センサースイッチ８が内蔵され、夜になれば自動で点灯し、明け方には自動で消灯する。また、約２０個のＬＥＤランプ９は直列に防水カバーでコード１０に配線され、防水コネクター１１に接続されることにより湿気による電気トラブルを防いでいる。【００２８】  またＬＥＤランプ９は配線コード１０に接続されているので、植木鉢内の花１４の形状に合わせ自由に光のレイアウトができる。【００２９】  プレート１先端の、どのような形状でも挟んで強力に固定するクリップ１２より、装置全体を簡単に植木鉢１３に取り付け、取り外しができる。
【実施形態の効果】
【００３０】  この実施形態によれば、多数のＬＥＤランプ９の光で、植木鉢の花１４を長時間彩れ、陽が当たらない場所の花や植木も光で彩れるようになる。
【他の実施形態】
【００３１】  本機を植木鉢に取り付けた状態でなく、日中は外して太陽の下で発電し、室内の観葉植物に取り付け点灯させる使用方法もできる。
【図面の簡単な説明】
【００３２】
【図１】  この発明の一実施形態を示す正面図である。
【００３３】
【図２】  この発明の全体を示す斜視図である。
【００３４】
【図３】  この発明の実施例に用いたブロック図である。
【符号の説明】
【００３５】  １  プレート
２  横回転軸
３  縦回転軸
４  太陽発電パネル
５  留め具
６  蓄電制御ボックス
７  蓄電池
８  光センサースイッチ
９  ＬＥＤランプ
１０  配線コード
１１  防水コネクター
１２  クリップ
１３  植木鉢
１４  植木鉢の花
１５  ダイオード
１６  リレー接点
１７  制御回路
１８  点灯装置
【図１】
2008301796.tif 000003
【図２】
2008301796.tif 000004
【図３】
2008301796.tif 000005